(57)【要約】【課題】  補色系の着色層を備えたカラーフィルタを用いる表示装置において、透過表示の色再現性を高めることができる構成を提供する。【解決手段】  本発明の電気光学装置は、補色系三色のうちの二色の着色層を重ねて配置させてなる三種の光透過領域を備えた表示単位を有する電気光学ユニットと、原色系三色の発光ピークＰｒ，Ｐｂ，Ｐｇを有し、電気光学装置を照明する照明ユニットとを有し、波長３８０ｎｍ〜７８０ｎｍの可視光領域における前記補色系三色の各着色層の透過率の最大値をａ、透過率の極小値をｂとして、補色系三色の各着色層の吸収波長範囲を、極小値が得られる波長域を含むとともに透過率が連続してｂ＋ａ×０．１以下となる波長範囲と定義したとき、原色系三色の発光ピークＰｒ，Ｐｂ，Ｐｇの波長がいずれも補色系三色の各着色層のいずれかの吸収波長範囲ＷＹ，ＷＭ，ＷＣ内に設定される。【選択図】図７
2006317823.tif 000002
【特許請求の範囲】
【請求項１】
シアン、イエロー、マゼンタの補色系三色のうちの二色の着色層を重ねて配置させてなる三種の光透過領域を備えた表示単位を有する電気光学ユニットと、赤、緑、青の原色系三色の発光ピークを有し、前記電気光学装置を照明する照明ユニットとを有する表示装置であって、
波長３８０ｎｍ〜７８０ｎｍの可視光領域における前記補色系三色の各着色層の透過率の最大値をａ、透過率の極小値をｂとして、前記補色系三色の各着色層の吸収波長範囲を、前記極小値が得られる波長域を含むとともに透過率が連続してｂ＋ａ×０．１以下となる波長範囲と定義したときに、
前記原色系三色の発光ピークの波長がいずれも前記補色系三色の各着色層のいずれかの前記吸収波長範囲内に設定されていることを特徴とする表示装置。
【請求項２】
前記赤の発光ピークの波長は６４０ｎｍ±２０ｎｍの範囲内にあり、前記緑の発光ピークの波長は５５０ｎｍ±４０ｎｍの範囲内にあり、前記青の発光ピークの波長は４４０ｎｍ±２０ｎｍの範囲内にあることを特徴とする請求項１に記載の表示装置。
【請求項３】
前記表示単位は、前記補色系三色のうちの二色を並列に配置させてなる三種の光反射領域をさらに備えていることを特徴とする請求項１又は２に記載の表示装置。
【請求項４】
請求項１乃至３のいずれか一項に記載の表示装置を搭載した電子機器。
【発明の詳細な説明】
【技術分野】
【０００１】
本発明は表示装置及び電子機器に係り、特に、カラーフィルタを備えた表示装置の構成に関する。
【背景技術】
【０００２】
一般に、液晶表示体などの電気光学ユニットでは、カラー表示を行うために複数色の着色層を所定パターンで配列させてなるカラーフィルタを用いる。このカラーフィルタは、例えば、Ｒ（赤）、Ｇ（緑）、Ｂ（青）の三色の着色層をストライプ配列、デルタ配列、斜めモザイク配列などの適宜のパターンに配列させてなるものである。また、上記の電気光学ユニットを用いた表示装置としては、液晶表示体などの自発光できない装置の背後にバックライト等の照明ユニットを配置し、この照明ユニットの照明光が電気光学ユニットを透過して表示光が形成されるようにしたものがある。なお、照明ユニットとしては、装置の前面に配置されるフロントライトなども用いられる場合がある。
【０００３】
上記のような表示装置では、照明光が各着色層を通過することによって、Ｒ（赤）、Ｇ（緑）、Ｂ（青）の光が形成され、これらの光を所定の割合で混合することによって所望のカラー表示を行うが、表示装置の色再現性を高めるために、Ｒ（赤）、Ｇ（緑）、Ｂ（青）の発光ピークを有する光源を用いる場合がある。また、近年、Ｒ（赤）、Ｇ（緑）、Ｂ（青）の三色のＬＥＤ（発光ダイオード）を用いて白色光を放出するＲＧＢバックライトが用いられるようになってきている。
【０００４】
上記のようなＲ（赤）、Ｇ（緑）、Ｂ（青）の発光ピークを有する光源を用いる場合には、各発光ピークの波長をＲ（赤）、Ｇ（緑）、Ｂ（青）の三色の着色層の透過波長領域に一致させることにより、表示装置の色再現性範囲を広げることができるといったことが知られている（例えば、以下の特許文献１参照）。
【０００５】
また、電気光学ユニットに、シアン、マゼンタ、イエローの着色層を有する補色系のカラーフィルタを用いる場合がある。この場合には、画素内に光透過領域と光反射領域を備えたタイプの表示構造において、透過表示を実現するための光透過領域においては補色系の三色のうちの二色を重ねて配置し、反射表示を実現するための光反射領域においては補色系の三色のうちの二色を並列させて配置することにより、透過表示を可能にしつつ、反射表示の明るさを向上させることのできる構成が知られている（例えば、以下の特許文献２参照）。
【特許文献１】特開平７−２５３５７７号公報
【特許文献２】特開２００２−２５８０２９号公報
【発明の開示】
【発明が解決しようとする課題】
【０００６】
しかしながら、前述の補色系の着色層を備えたカラーフィルタを用いる場合には、反射領域の明るさを向上させることができるものの、光透過領域には二色の着色層が積層配置されるため、照明光の利用効率が低下し、透過表示の色再現性が低下するという問題点がある。
【０００７】
そこで、本発明は上記問題点を解決するものであり、その課題は、補色系の着色層を備えたカラーフィルタを用いる表示装置において、透過表示の色再現性を高めることができる構成を実現することにある。特に、透過表示と反射表示の双方を可能とする表示装置において、透過表示の色再現性と反射表示の明るさを両立させることのできる構成を提供することにある。
【課題を解決するための手段】
【０００８】
斯かる実情に鑑み、本発明の表示装置は、シアン、イエロー、マゼンタの補色系三色のうちの二色の着色層を重ねて配置させてなる三種の光透過領域を備えた表示単位を有する電気光学ユニットと、赤、緑、青の原色系三色の発光ピークを有し、前記電気光学装置を照明する照明ユニットとを有する表示装置であって、波長３８０ｎｍ〜７８０ｎｍの可視光領域における前記補色系三色の各着色層の透過率の最大値をａ、透過率の極小値をｂとして、前記補色系三色の各着色層の吸収波長範囲を、前記極小値が得られる波長域を含むとともに透過率が連続してｂ＋ａ×０．１以下となる波長範囲と定義したときに、前記原色系三色の発光ピークの波長がいずれも前記補色系三色の各着色層のいずれかの前記吸収波長範囲内に設定されていることを特徴とする。
【０００９】
本発明によれば、補色系三色のうちの二色の着色層を重ねて配置させてなる三種の光透過領域を備えた表示単位を有する電気光学ユニットを原色系三色の発光ピークを有する照明ユニットと組み合わせて用いるとともに、原色系三色の発光ピークの波長がいずれも補色系三色の着色層のいずれかの吸収波長範囲内に設定されていることにより、光透過領域に重ねて配置された補色系二色の着色層の吸収波長範囲内に含まれる原色系三色のうちの二色の発光ピークは当該着色層によってほとんど吸収されるため、残りの原色系三色のうちの一色の発光ピークが主体的に当該光透過領域を透過することになる。したがって、光透過領域を透過する光は照明ユニットの原色系三色の発光ピークのうちの一つを反映したものとなるので、照明ユニットの原色系三色の発光ピークの混合によって所定の色を再現することができることとなるため、各光透過領域の透過光の色純度を高めることができ、色再現性を向上させることができる。また、照明ユニットの上記発光ピークを適宜に設定することで、色再現範囲を高めることも容易になる。
【００１０】
本発明において、前記赤の発光ピークの波長は６４０ｎｍ±２０ｎｍの範囲内にあり、前記緑の発光ピークの波長は５５０ｎｍ±４０ｎｍの範囲内にあり、前記青の発光ピークの波長は４４０ｎｍ±２０ｎｍの範囲内にあることが好ましい。
【００１１】
本発明において、前記表示単位は、前記補色系三色のうちの二色を並列に配置させてなる三種の光反射領域をさらに備えていることが好ましい。これによれば、上記のように透過表示の色再現性を向上させることができると同時に反射表示も可能となり、さらに、三種の光反射領域のそれぞれに補色系三色のうちの二色を並列に配置することで、透過表示に影響を与えずに反射表示を明るくすることができる。
【００１２】
本発明の電子機器は、上記のいずれか一項に記載の表示装置を搭載したことを特徴とする。本発明の電子機器としては、テレビ受像機、コンピュータ装置などの種々の電子機器が挙げられるが、特に、透過表示と反射表示の双方が実現できる構成とした場合には、外部環境の変化に対して高い対応性を有するので、携帯電話、携帯型情報端末、携帯型コンピュータ装置、電子時計などの携帯型電子機器である場合に高い効果を発揮することができる。
【発明を実施するための最良の形態】
【００１３】
次に、添付図面を参照して本発明の実施形態について詳細に説明する。図５は、本発明に係る表示装置１００の全体構成を示す概略構成図である。表示装置１００は、電気光学ユニット１１０と、この電気光学ユニット１００の背後に配置されたＲＧＢバックライト等で構成される照明ユニット１２０とを有する。
【００１４】
電気光学ユニット１１０は、例えば液晶パネルで構成され、基板１１１と１１２をシール材１１３で間隔をもって貼り合わせ、その間に電気光学物質である液晶層１１４を配置したものである。基板１１１の内面上にはカラーフィルタ１１５及び電極１１６が形成され、また、基板１１２の内面上には電極１１７が形成される。電極１１６と１１７は相互に対向し、光変調状態を制御する最小単位である画素を構成する。基板１１１の外面上には偏光板１１８が配置され、基板１１２の外面上には偏光板１１９が配置される。
【００１５】
また、照明ユニット１２０は、上記電気光学ユニット１１０を照明する照明光を発するものであり、Ｒ（赤）、Ｇ（緑）、Ｂ（青）の原色系三色の発光ピークを有する面状光源である。このような照明ユニット１２０としては、三波長域発光型蛍光管、ＲＧＢバックライト等を用いることができる。特に、ＲＧＢバックライトのような、Ｒ（赤）、Ｇ（緑）、Ｂ（青）の三つの発光ピークを有する一体若しくは独立した光源を内蔵した照明ユニットであることが好ましい。具体的には、独立した赤色発光ダイオード、緑色発光ダイオード、青色発光ダイオードを内蔵したもの、これらのダイオードをワンチップ化したもの、青色ダイオードと蛍光体を用いた三波長発光ダイオード、多波長発光活性層を有する一体型ＬＥＤなどが挙げられる。さらに、これらの光源から放出された光を電気光学ユニット１１０の表示領域に照射するための導光板を備えていることが望ましい。
【００１６】
図１は、本発明に係る電気光学装置のピクセル構造を示す概略拡大平面図である。ピクセルＰｘは、三つの画素Ｄｘ［Ｒ］，Ｄｘ［Ｂ］，Ｄｘ［Ｇ］を含んでいる。これらの画素は、電極１１６と１１７の交差する（すなわち平面的に重なる）領域で構成されている。画素は、それぞれ光透過領域Ａｔ［Ｒ］，Ａｔ［Ｂ］，Ａｔ［Ｇ］及び光反射領域Ａｒ［Ｒ］，Ａｒ［Ｂ］，Ａｒ［Ｇ］を有する。
【００１７】
図２は図１のII−II線に沿って切断した断面を示す拡大断面図、図３は図１のIII−III線に沿って切断した断面を示す拡大断面図、図４は図１のIV−IV線に沿って切断した断面を示す拡大断面図である。基板１１１の内面上には、アクリル樹脂等で構成された、表面に微細な凹凸形状を備えた下地層ＵＦが形成される。この下地層ＵＦは光反射領域Ａｒにのみ形成されており、感光性樹脂を用いたフォトリソグラフィ法などによって形成されている。この下地層ＵＦ上にはアルミニウム等で構成された反射層ＲＦが形成される。この反射層ＲＦも光反射領域Ａｒに形成され、光透過領域Ａｔには形成されない。反射層ＲＦは上記下地層ＵＦの表面を反映して微細な凹凸を有する散乱性反射面を備えている。
【００１８】
カラーフィルタ１１５は、補色系のシアン、マゼンタ、イエローの三色の着色層Ｆ［Ｃ］，Ｆ［Ｍ］，Ｆ［Ｙ］を有し、これらの着色層の上に保護膜ＯＦを形成してなる。着色層Ｆ［Ｃ］，Ｆ［Ｍ］，Ｆ［Ｙ］は、光透過領域Ａｔでは二層の積層構造となる状態で配置され、光反射領域Ａｒでは基本的に単層で配置される。具体的には、画素Ｄｘ［Ｒ］では、光透過領域Ａｔ［Ｒ］において、着色層Ｆ［Ｍ］とＦ［Ｙ］が重なる状態で積層配置され、光反射領域Ａｒ「Ｒ」において、着色層Ｆ［Ｍ］とＦ［Ｙ］が並列に配置されている。また、画素Ｄｘ［Ｂ］では、光透過領域Ａｔ［Ｂ］において、着色層Ｆ［Ｍ］とＦ［Ｃ］が重なる状態で積層配置され、光反射領域Ａｒ［Ｂ］において、着色層Ｆ［Ｍ］とＦ［Ｃ］が並列に配置されている。さらに、画素Ｄｘ［Ｇ］では、光透過領域Ａｔ［Ｇ］において、着色層Ｆ［Ｃ］とＦ［Ｙ］が重なる状態で積層配置され、光反射領域Ａｒ［Ｇ］において、着色層Ｆ［Ｃ］とＦ［Ｙ］が並列に配置されている。
【００１９】
上記構成により、カラーフィルタ１１５は、光透過領域Ａｔでは、二層の重なりによって生ずる上記補色系三色のうちの二色の減色混合により、Ｄｘ［Ｒ］ではＲ（赤）、Ｄｘ［Ｂ］ではＢ（青）、Ｄｘ［Ｇ］ではＧ（緑）の帯域透過フィルタ特性を有する。また、光反射領域Ａｒでは、二層が並列に配置されることによって生ずる上記補色系の二色の加色混合により、Ｄｘ［Ｒ］ではＲ（赤）、Ｄｘ［Ｇ］ではＧ（緑）を主体とする帯域透過フィルタ特性を有する。この場合、光反射領域Ａｒでは、Ｒ（赤）、Ｂ（青）、Ｇ（緑）の帯域以外の領域でも、透過帯域の透過率の半分程度の比較的高い透過率を有するので、明るい反射表示が実現できる。
【００２０】
上記カラーフィルタ１１５の上には、アクリル樹脂等で構成される透明な付加層ＡＦが形成される。この付加層ＡＦは、光反射領域Ａｒには形成されるが、光透過領域Ａｔには形成されない。さらに、その上にはＩＴＯ（インジウムスズ酸化物）等の透明導電体で電極１１６が形成され、この電極１１６上にはさらに配向膜ＯＲが形成される。電極１１６は本実施形態の場合、図１の左右方向に伸びる帯状の電極である。
【００２１】
一方、基板１１２の内面上にはＩＴＯ等の透明導電体で構成される電極１１７が形成される。また、この電極１１７上には配向膜ＯＲが形成される。上記の電極１１７は本実施形態の場合、画素Ｄｘ毎に形成された画素電極となっている。本実施形態では、電極１１７と図示しない配線との間にＴＦＤ（薄膜ダイオード）等の二端子型の非線形素子ＳＤ（図４参照）が接続され、この非線形素子ＳＤにより、上記の図示しない配線から電極１１７が受ける電位の供給状態が制御されるようになっている。
【００２２】
なお、本実施形態では上記のような二端子型の非線形素子ＳＤを用いたアクティブマトリクスパネルを構成しているが、ＴＦＴ（薄膜トランジスタ）等の三端子型の非線形素子を用いた構成としてもよく、或いは、パッシブマトリクスパネルを構成するものであっても構わない。
【００２３】
本実施形態では、上記下地層ＵＦ及び付加層ＡＦによって、光透過領域Ａｔにおける液晶層１１４の厚さは、光反射領域Ａｒにおける液晶層１１４の厚さより大きく（例えば２倍程度に）なっている。これによって、液晶層１１４による光透過領域Ａｔを透過する光に対する変調度合と、光反射領域Ａｒで反射される光に対する変調度合との差を低減している。なお、上記下地層ＵＦ及び付加層ＡＦの代わりに、一体の層を設けてもよく、さらに、基板１１２の内面上に上記層に代わる層を設けても構わない。
【００２４】
図７は、本実施形態の着色層Ｆ［Ｃ］，Ｆ［Ｍ］，Ｆ［Ｙ］の分光スペクトル特性と、照明ユニット１２０の発光スペクトル特性とを示すものである。着色層Ｆ［Ｃ］は波長４００〜５４０ｎｍ（青色領域及び緑色領域）において高い透過率（６０％以上）を示し、５６０〜７５０ｎｍ（赤色領域）において低い透過率（３０％以下）を示す。着色層Ｆ［Ｍ］は波長６００〜７８０ｎｍ（赤色領域）及び４００〜４７０ｎｍにおいて高い透過率（６０％以上）を示し、波長５００〜５９０ｎｍ（緑色領域）において低い透過率（３０％以下）を示す。着色層Ｆ［Ｙ］は波長４８０〜７８０ｎｍ（緑色領域及び赤色領域）で高い透過率（６０％以上）を示し、波長３８０〜４７０ｎｍ（青色領域）において低い透過率（３０％以下）を示す。
【００２５】
図６において、照明ユニット１２０のＲ（赤）、Ｇ（緑）、Ｂ（青）の発光ピークの位置をＰｒ、Ｐｇ、Ｐｂで示し、着色層Ｆ［Ｃ］、Ｆ［Ｍ］、Ｆ［Ｙ］のそれぞれの吸収波長範囲（透過率の低い範囲）をＷＣ、ＷＭ、ＷＹで示す。ここで、吸収波長範囲ＷＣ，ＷＭ，ＷＹは、可視光波長領域（波長３８０〜７８０ｎｍ）内における各着色層の透過率の最大値をａ（ａｃ，ａＭ，ａＹ）、極小値をｂ（ｂｃ，ｂＭ，ｂＹ）としたとき、極小値を示す波長域を含むとともに、透過率が連続してｂ＋ａ×０．１以下である波長の範囲を言うこととする。従って、ＷＣの波長範囲は、着色層Ｆ［Ｃ］の透過率の最小値ｂｃ＋着色層Ｆ［Ｃ］の透過率の最大値ａｃ×０．１以下とされる波長範囲であり、同様にＷＭの波長範囲は、着色層Ｆ［Ｍ］の透過率の最小値ｂＭ＋着色層Ｆ［Ｍ］の透過率の最大値ａＭ×０．１以下とされる波長範囲であり、ＷＹの波長範囲は、着色層Ｆ［Ｙ］の透過率の最小値ｂＹ＋着色層Ｆ［Ｙ］の透過率の最大値ａＹ×０．１以下とされる波長範囲とされる。
【００２６】
本実施形態の場合、上記発光ピークＰｒ，Ｐｇ，Ｐｂのいずれもが吸収波長範囲ＷＣ，ＷＭ，ＷＹのいずれかに存在する。すなわち、Ｒ（赤）の発光ピークＰｒは、Ｙ（イエロー）の着色層Ｆ［Ｙ］の吸収波長範囲ＷＹ内に存在し、Ｇ（緑）の発光ピークＰｇは、Ｍ（マゼンタ）の着色層Ｆ［Ｍ］の吸収波長範囲ＷＭ内に存在し、Ｂ（青）の発光ピークＰｂは、Ｃ（シアン）の着色層Ｆ［Ｃ］の吸収波長範囲ＷＣ内に存在する。
【００２７】
上記のように設定されていることにより、光透過領域Ａｔ［Ｂ］では、着色層Ｆ［Ｍ］とＦ［Ｃ］の積層によって発光ピークＰｂ及びその近傍の波長は透過するが、発光ピークＰｇ及びその近傍の波長は着色層Ｆ［Ｍ］の吸収波長範囲ＷＭによって充分に吸収除去され、発光ピークＰｒ及びその近傍の波長は着色層Ｆ［Ｃ］の吸収波長範囲ＷＣによって充分に吸収除去されるので、発光ピークＰｂ及びその近傍の色純度の高い青色光が得られることになる。これと同様に、光透過領域Ａｔ［Ｇ］では発光ピークＰｇ及びその近傍の波長は透過するが、発光ピークＰｂ及びＰｒ並びにその近傍の波長は着色層Ｆ［Ｙ］及びＦ［Ｃ］によって吸収除去されるので、発光ピークＰｇ及びその近傍の色純度の高い緑色光が得られる。さらに、光透過領域Ａｔ［Ｒ］では発光ピークＰｒ及びその近傍の波長は透過するが、発光ピークＰｇ及びＰｂ並びにその近傍の波長は着色層Ｆ［Ｍ］及びＦ［Ｙ］によって吸収除去されるので、発光ピークＰｒ及びその近傍の色純度の高い赤色光が得られる。
【００２８】
図６は、本実施形態で実現される色再現範囲を示す色度図である。本実施形態では、光透過領域Ａｔ［Ｒ］、Ａｔ［Ｂ］、Ａｔ［Ｇ］によって実現される透過表示の色再現範囲の例を図６のＲｔ−Ｇｔ−Ｂｔの色三角形で示してあり、光反射領域Ａｒ［Ｒ］、Ａｒ［Ｂ］、Ａｒ［Ｇ］によって実現される反射表示の色再現範囲の例を図６のＲｒ−Ｇｒ−Ｂｒの色三角形で示してある。また、一般的な白色光源（例えば、白色ＬＥＤと導光板を有する照明ユニット）を用いた場合の透過表示の色再現範囲の例をＲ′−Ｇ′−Ｂ′の色三角形で示してある。
【００２９】
本実施形態では、補色系のカラーフィルタ１１５を用いていながら、照明ユニット１２０の発光ピークＰｒ，Ｐｇ，Ｐｂの波長と、着色層Ｆ［Ｃ］，Ｆ［Ｍ］，Ｆ［Ｙ］の吸収波長範囲ＷＣ，ＷＭ，ＷＹとを整合させたことにより、透過表示において、各画素Ｇｘ［Ｒ］，Ｇｘ［Ｇ］，Ｇｘ［Ｂ］においてそれぞれ色純度の高いＲｔ，Ｇｔ，Ｂｔの光を形成することができるため、上記Ｒｔ−Ｇｔ−Ｂｔの色三角形の面積を大きくすることができ、色再現可能範囲を広げることができる。
【００３０】
一方、上記補色系のカラーフィルタ１１５を用いたことによって反射表示において明るい表示態様を実現できる点は上述の通りである。反射表示では、Ｐｒ−Ｇｒ−Ｂｒの色三角形で示すように色再現可能範囲は比較的狭いものの、反射表示は透過表示に比べて本来的に輝度及び色再現性が低いため、問題となるレベルではなく、むしろ要求度の高い明度の向上が充分に確保されている。したがって、本実施形態では、透過表示と反射表示の表示品位がきわめて高いレベルで両立されていることになる。
【００３１】
例えば、図７に点線で示すように、発光ピークＰｇ′が着色層Ｆ［Ｍ］の吸収波長範囲ＷＭから外れた照明光を用いた場合には、画素Ｇｘ［Ｒ］及びＧｘ［Ｂ］の光透過領域Ａｔ［Ｒ］，Ａｔ［Ｂ］を透過する光に発光ピークＰｇ′及びその近傍の波長の光が混入することになるため、図６に示すＲｒ，Ｂｒよりも色純度（色度図では彩度）が低下し、Ｒ′，Ｂ′やＲｒ、Ｂｒに近い色相となるため、色再現可能範囲が狭小化する。特に、マゼンタの着色層Ｆ［Ｍ］は吸収波長範囲ＷＭが狭いため、発光ピークＰｇをこの範囲ＷＭ内に設定することは重要である。
【００３２】
本実施形態において、発光ピークＰｒ，Ｐｇ，Ｐｂと、吸収波長範囲ＷＣ，ＷＭ，ＷＹの整合性は、照明ユニットと着色層のうちの少なくともいずれか一方を他方に合わせることで実現できる。ただし、発光ピークＰｒ，Ｐｇ，Ｐｂの位置を着色層の分光特性に合わせる方が一般的には容易である。発光ピークの波長の調整・変更は、不純物の選択、バンドギャップ調整、蛍光体の選択などによって適宜に行うことができる。
【００３３】
［電子機器］
最後に、上述した各実施形態に係る電気光学装置を電子機器に用いた実施形態に説明する。図８は、本発明に係る電子機器の一実施形態であるノート型パーソナルコンピュータを示している。このパーソナルコンピュータ２００は、複数の操作ボタン２０１ａや他の操作装置２０１ｂを備えた本体部２０１と、この本体部２０１に接続され、表示画面２０２ａを備えた表示部２０２とを備えている。図示例の場合、本体部２０１と表示部２０２は開閉可能に構成されている。表示部２０２の内部には上述の電気光学装置（液晶装置）１００が内蔵されており、表示画面２０２ａに所望の表示画像が表示されるようになっている。この場合、パーソナルコンピュータ２００の内部には、上記電気光学装置１００を制御する表示制御回路が設けられる。この表示制御回路は、電気光学装置１００に設けられる図示しない公知の駆動回路（液晶ドライバ回路など）に対して所定の制御信号を送り、その表示態様を決定するように構成されている。
【００３４】
図９は、本発明に係る電子機器の他の実施形態である携帯電話機を示している。ここに示す携帯電話機３００は、複数の操作ボタン３０１ａ，３０１ｂ及び送話口などを備えた操作部３０１と、表示画面３０２ａや受話口などを備えた表示部３０２とを有し、表示部３０２の内部に上記の電気光学装置１００が組み込まれてなる。そして表示部３０２の表示画面３０２ａにおいて電気光学装置１００により形成された表示画像を視認することができるようになっている。この場合、携帯電話機３００の内部には、上記電気光学装置１００を制御する表示制御回路が設けられる。この表示制御回路は、電気光学装置１００に設けられる図示しない公知の駆動回路（液晶ドライバ回路など）に対して所定の制御信号を送り、その表示態様を決定するように構成される。
【００３５】
なお、本発明に係る電子機器としては、図８や図９に示す電子機器の他に、液晶テレビ、カーナビゲーション装置、ページャ、電子手帳、電卓、ワークステーション、テレビ電話、ＰＯＳ端末機などが挙げられる。そして、これらの各種電子機器の表示部として本発明に係る電気光学装置を用いることができる。
【００３６】
また、本発明は、上述の図示例にのみ限定されるものではなく、本発明の要旨を逸脱しない範囲内において種々変更を加え得ることは勿論である。例えば、本実施形態においては、液晶表示パネルを備えた液晶装置で構成されるものについて説明したが、本発明は、カラーフィルタを用いて透過表示及び反射表示を行うことができるものであれば、液晶装置に限らず、電気泳動表示装置などの他の電気光学装置であっても構わない。
【図面の簡単な説明】
【００３７】
【図１】実施形態の電気光学装置のピクセル構造を示す概略平面図。
【図２】実施形態の電気光学装置のピクセル構造のII−II断面を示す概略縦断面図。
【図３】実施形態の電気光学装置のピクセル構造のIII−III断面を示す概略縦断面図。
【図４】実施形態の電気光学装置のピクセル構造のIV−IV断面を示す概略縦断面図。
【図５】実施形態の表示装置の全体構成を示す概略断面図。
【図６】実施形態の着色層の色相及び色再現範囲を示すｘｙ色度図。
【図７】実施形態の着色層の分光スペクトルを示す図。
【図８】電子機器の実施形態の一例を示す概略斜視図。
【図９】電子機器の実施形態の他の例を示す概略斜視図。
【符号の説明】
【００３８】
１００…表示装置、１１０…電気光学ユニット（液晶装置）、１２０…照明ユニット、１１１，１１２…基板、１１５…カラーフィルタ、Ｆ…着色層、ＢＭ…遮光層、ＯＦ…保護膜、１１４…液晶層、Ｐｘ…ピクセル、Ｄｘ…画素、Ａｔ…光透過領域、Ａｒ…光反射領域
【図１】
2006317823.tif 000003
【図２】
2006317823.tif 000004
【図３】
2006317823.tif 000005
【図４】
2006317823.tif 000006
【図５】
2006317823.tif 000007
【図６】
2006317823.tif 000008
【図７】
2006317823.tif 000009
【図８】
2006317823.tif 000010
【図９】
2006317823.tif 000011